(57)【要約】      （修正有）【課題】外囲板への取り付けが容易でしかも荷重に対して大きな強度をもつ屋根などの外囲体に構造物を取り付けるために用いられる外囲体用の取付金具を提供する。【解決手段】屋根などの外囲体に構造物を取り付けるために用いられる外囲体用取付金具は、金属板から成る本体１２ａと、ボルト１６とから成る。本体１２ａは、外囲板の接合部のはぜ部１０に嵌合するのに適した横Ｕ字状部１２ｂと、垂直部１２ｃと、上位水平部１２ｄと、立ち上がり部１２ｅと、外囲体の外囲面に当接される下位水平部１２ｆとを備えている。本体１２ａの立ち上がり部１２ｅにはねじ穴が形成され、これにボルト１６が螺合される。ボルト１６は、ねじ穴によって本体１２ａの上位水平部１２ｄの下面に対して平行な方向に案内される。【選択図】図１
2008007988.tif 000002
【特許請求の範囲】
【請求項１】
屋根などの外囲体に構造物を取り付けるために用いられる外囲体用取付金具であって、金属板から成る本体と、ボルトとから成り、前記本体は、外囲板の接合部のはぜ部に嵌合するのに適した横Ｕ字状部と、該横Ｕ字状部の一端開口部の下部から該横Ｕ字状部に対して直角方向に下方向に向けて延びる垂直部と、前記横Ｕ字状部の開口部の上部から該横Ｕ字状部と同一延長平面上に延びる上位水平部と、該上位水平部の一端から直角方向に延びる立ち上がり部と、該立ち上がり部の下端から直角方向に屈折して形成された下位水平部とを備え、前記本体の前記立ち上がり部にねじ穴を設け、これに螺合されるボルトが前記本体の上位水平部の下面に対して平行な方向に案内されるようにし、前記立ち上がり部が外囲体の接合部の立ち上がり部と略同一の高さとなるようにしたことを特徴とする外囲体用取付金具。
【請求項２】
下地材上に複数の外囲板を吊子を介して接合配置した、屋根や外壁として用いられる外囲体において、前記外囲板の両側部に立ち上がり部を設け、互いに隣接する前記外囲板の立ち上がり部を前記吊子の立ち上がり部を挟んで合接し、前記外囲板と吊子の立ち上がり部をはぜ締めして互いに隣接する前記外囲板の立ち上がり部の上部に該立ち上がり部に対して直角方向に屈折するはぜ部を形成する一方、前記はぜ部に嵌合するのに適した横Ｕ字状部と、該横Ｕ字状部の一端開口部の下部から該横Ｕ字状部に対して直角方向に下方向に向けて延びる垂直部と、前記横Ｕ字状部の開口部の上部から該横Ｕ字状部と同一延長平面上に延びる上位水平部と、該上位水平部の一端から直角方向に延びる立ち上がり部と、該立ち上がり部の下端から直角方向に屈折して形成された下位水平部と、前記本体の前記立ち上がり部に形成されボルトを前記上位水平部に対して平行な方向に案内するねじ穴と、該ねじ穴に螺合されるボルトとから成る取付金具を設け、前記取付金具の横Ｕ字状部を前記はぜ部に嵌合し、前記垂直部と前記ボルトの先端とで前記外囲板の合接部の立ち上がり部を挟圧し、前記下位水平部を前記外囲板の平板部上面に圧着したことを特徴とする外囲体。
【発明の詳細な説明】
【技術分野】
【０００１】
本発明は、屋根や外壁などにソーラーパネルやテラスデッキ支持用の金属垂木などの構造物を取り付けるための外囲体用取付金具及び該取付金具を取り付けた屋根や外壁などの外囲体に関する。
【背景技術】
【０００２】
従来、屋根や外壁に雪止め形鋼や、ソーラーパネルなどの構造物を取り付けるための取付金具として逆Ｕ字状の嵌合部が屋根板の接合部に嵌合するものが知られている（例えば特許文献１参照）。また屋根板の接合部の頂部を横コ字状に形成し、この頂部に、屋根板の長手方向の端部からスライド自在に密嵌し得る形状に形成されたスライド嵌合部を有する取付金具が知られている（例えば特許文献２参照）。
【特許文献１】実開平３−１５９２７号公報
【特許文献２】特開平１１−１３２２５号公報
【発明の開示】
【発明が解決しようとする課題】
【０００３】
従来の構造物取付金具の取付構造の中、逆Ｕ字状の嵌合部を屋根板の接合部に嵌合する構造のものは、取付金具を引き上げる荷重に対して強度が弱い。そのため、取付金具を屋根の接合部にビス止めしなければならず、屋根の接合部にビス用の穴を設けるため構造が複雑となるとともに、ビスと穴との位置合わせを必要とするため取付金具の組み付け作業が容易でないという問題点がある。
また、屋根板の横コ字状の接合部にスライド嵌合部を、屋根板の長手方向の端部からスライド自在に密嵌する構造のものは、取付金具の取り付け作業を簡単に行うことができないという問題点があり、また、屋根板の接合部を補強する構造がないため屋根板の接合部にかかる大きな荷重に対して弱いという問題点がある。
本発明は上記問題点を解決することを目的とするものである。
【課題を解決するための手段】
【０００４】
上記目的を達成するため本発明は、屋根などの外囲体に構造物を取り付けるために用いられる外囲体用取付金具であって、金属板から成る本体と、ボルトとから成り、前記本体は、外囲板の接合部のはぜ部に嵌合するのに適した横Ｕ字状部と、該横Ｕ字状部の一端開口部の下部から該横Ｕ字状部に対して直角方向に下方向に向けて延びる垂直部と、前記横Ｕ字状部の開口部の上部から該横Ｕ字状部と同一延長平面上に延びる上位水平部と、該上位水平部の一端から直角方向に延びる立ち上がり部と、該立ち上がり部の下端から直角方向に屈折して形成された下位水平部とを備え、前記本体の前記立ち上がり部にねじ穴を設け、これに螺合されるボルトが前記本体の上位水平部の下面に対して平行な方向に案内されるようにし、前記立ち上がり部が外囲体の接合部の立ち上がり部と略同一の高さとなるようにしたものである。
また本発明は、下地材上に複数の外囲板を吊子を介して接合配置した、屋根や外壁として用いられる外囲体において、前記外囲板の両側部に立ち上がり部を設け、互いに隣接する前記外囲板の立ち上がり部を前記吊子の立ち上がり部を挟んで合接し、前記外囲板と吊子の立ち上がり部をはぜ締めして互いに隣接する前記外囲板の立ち上がり部の上部に該立ち上がり部に対して直角方向に屈折するはぜ部を形成する一方、前記はぜ部に嵌合するのに適した横Ｕ字状部と、該横Ｕ字状部の一端開口部の下部から該横Ｕ字状部に対して直角方向に下方向に向けて延びる垂直部と、前記横Ｕ字状部の開口部の上部から該横Ｕ字状部と同一延長平面上に延びる上位水平部と、該上位水平部の一端から直角方向に延びる立ち上がり部と、該立ち上がり部の下端から直角方向に屈折して形成された下位水平部と、前記本体の前記立ち上がり部に形成されボルトを前記上位水平部に対して平行な方向に案内するねじ穴と、該ねじ穴に螺合されるボルトとから成る取付金具を設け、前記取付金具の横Ｕ字状部を前記はぜ部に嵌合し、前記垂直部と前記ボルトの先端とで前記外囲板の合接部の立ち上がり部を挟圧し、前記下位水平部を前記外囲板の平板部上面に圧着したものである。
【発明の効果】
【０００５】
本発明は、取付金具の外囲板の接合部に対する取り付けを簡単に行うことができるとともに、取付金具にかかる引き上げ方向や、押し下げ方向及び左右の荷重に対して大きな強度を有する。
【発明を実施するための最良の形態】
【０００６】
以下に、本発明の実施の形態を添付した図面を参照して詳細に説明する。
図１は建物の屋根の要部の断面構造を示し、下地材２に吊子４を介して、外囲板６が取り付けられている。下地材２は硬質木片セメント板などの野地板により構成されている。前記下地材２にはステンレス等の金属板からなる吊子４の二重に折り重ねられた基部４ａが防水用のアスファルトルーフィング（図示省略）の上からビス８によって固定されている。吊子４の立ち上がり部４ｂの上部は水平方向に屈折されている。
【０００７】
前記外囲板６は鋼板、銅板などの金属板から成り、下地材２の上に複数、吊子４を境として、互いに隣接して並列に配置されている。各外囲板６は、両側に立ち上がり部６ａ，６ｂが屈折形成され、一方の立ち上がり部６ｂを構成する側壁の上部には、外側に屈折する水平部が形成され、他方の立ち上がり部６ａを構成する側壁には、内側に屈折する水平部が形成されている。
【０００８】
前記吊子４と該吊子４の両側に配置された外囲板６，６は、立ち上がり部６ａ，６ｂが吊子４の立ち上がり部４ｂを介して互いに合接し、且つ互いに合接する水平部に形成された垂直部が内側にはぜ締めによって屈曲され、立ち上がり部６ａ，６ｂに対して直角なはぜ部１０が形成されている。
【０００９】
鋼材などの金属板からなる取付金具１２は、本体１２ａに、横Ｕ字状部１２ｂと、該横Ｕ字状部１２ｂの一端開口部の下部から横Ｕ字状部１２ｂに対して直角方向に下方向に向けて延びる垂直部１２ｃと、前記横Ｕ字状部１２ｂの開口部の上部から該横Ｕ字状部と同一延長平面上に延びる上位水平部１２ｄと、該上位水平部１２ｄの一端から直角方向に延びる立ち上がり部１２ｅと、該立ち上がり部１２ｅの下端から直角方向に屈折して形成された下位水平部１２ｆとから成り、立ち上がり部１２ｅにボルト挿入穴が形成されている。前記立ち上がり部１２ｅの高さは、外囲板６の立ち上がり部６ａ，６ｂの高さと略同一に設定されている。
【００１０】
前記立ち上がり部１２ｅの内側面にはナット１４が固着され、該ナット１４のねじ穴と前記ボルト挿入穴とが連通している。前記ボルト挿入穴にはボルト１６が遊嵌され、該ボルト１６は、前記ナット１４に螺合している。前記ボルト１６の一方には、座金１８が固着されたナット２０が螺合し、前記ボルト１６の、前記立ち上がり部１２ｅの外側面から突出する他方には、ナット２２が螺合し、該ナット２２と前記立ち上がり部１２ｅの外側面との間に位置して、前記ボルト１６の他方にリング状の座金２４がスライド自在に嵌挿している。
【００１１】
次に外囲板６の上部にデッキ２６などの構造物を支持する金属垂木２８を取り付ける作業について説明する。
互いに隣接する外囲板６，６の接合部のはぜ部１０に取付金具１２の横Ｕ字状部１２ｂを嵌合し、垂直部１２ｃを、外囲板６，６の接合部の立ち上がり部６ａに当接する。
【００１２】
該状態において、取付金具１２の下位水平部１２ｆがゴムパッキン３０を介して、外囲板６の平板面に密着載置され、上位水平部１２ｄ及びボルト１６は、外囲面に対して略水平な状態となる。次にボルト１６をねじ込み方向に回転し、座金１８を、外囲板６の立ち上がり部６ｂに圧接し、ボルト１６の締め付け力により、垂直部１２ｃと座金１８とで、外囲板６，６と吊子４の接合部を挟圧する。次にナット１４を回して座金２４を介して該ナット２２を立ち上がり部１２ｅに圧接し、ダブルナット１４，２２によってボルト１６を立ち上がり部１２ｅに固定する。
【００１３】
これにより、取付金具１２は外囲板６，６の接合部に固定される。外囲板６，６の接合部に固定された取付金具１２の上位水平部１２ｄには、デッキ支持用の金属垂木２８がビス３２，３２によって固定される。前記取付金具１２には、デッキ用の金属垂木２８以外に各種の構造物例えば太陽電池パネルや、スプリングクーラーその他の構造物を取り付けることができる。
【００１４】
次に本発明の他の実施形態を図３を参照して説明する。
建物の下地材３４は、Ｉ型鋼あるいはＨ型鋼からなる梁により構成されている。下地材３４は複数並列に配置され、これら下地材３４の上面には、タイトフレーム３６が固定されている。前記下地材３４の上には、複数の鋼板などの金属製の折板からなる外囲板３８が、それぞれ下面がタイトフレーム３６に嵌合した状態で配置されている。各外囲板３８の両側部には、立ち上がり部３８ａ，３８ｂが形成されている。
【００１５】
隣接する外囲板３８，３８の立ち上がり部３８ａ，３８ｂは、対応するタイトフレーム３６の凸部３６ａに固定された吊子３８と合接し、該合接状態で、はぜ締めされ、立ち上がり部３８ａ，３８ｂに対して直角なはぜ部３８が形成されている。前記外囲板３８は、複数結合した状態で全体として断面形状が波形を形成する。前記外囲板３８，３８の接合部には、図１に示す実施形態と同様な方法で取付金具１２が固定され、その下位水平部１２ｆがゴムパッキン３０を介して、タイトフレーム３６の凸部３６ａに支持された外囲板３８の上位水平部に密着載置される。
【００１６】
上記第１と第２の実施形態において、取付金具１２に上方向に力が作用しても、この力は、横Ｕ字状部１２ｂとはぜ部１０，３８との係合で阻止される。また取付金具１２に作用する左右方向の荷重及び下向きにかかる荷重は、下位水平部１２ｆによってしっかりと支えられる。また取付金具１２は、はぜ部１０，３８に横Ｕ字状部１２ｂを嵌合し、ボルト１６の先端を外囲板の接合部に押し当てるだけで簡単に外囲板の接合部に取り付けることができる。
【図面の簡単な説明】
【００１７】
【図１】本発明の正面説明図である。
【図２】本発明の側面説明図である。
【図３】本発明の他の実施形態を示す正面説明図である。
【符号の説明】
【００１８】
２      下地材
４      吊子
６      外囲板
８      ビス
１０    はぜ部
１２    取付金具
１２ａ  本体
１２ｂ  横Ｕ字状部
１２ｃ  垂直部
１２ｄ  上位水平部
１２ｅ  立ち上がり部
１２ｆ  下位水平部
１４    ナット
１６    ボルト
１８    座金
２０    ナット
２２    ナット
２４    座金
２６    デッキ
２８    金属垂木
３０    ゴムパッキン
３２    ビス
３４    下地材
３６    タイトフレーム
３６ａ  凸部
３８    はぜ部
【図１】
2008007988.tif 000003
【図２】
2008007988.tif 000004
【図３】
2008007988.tif 000005